(57)【要約】【課題】  ピックアップローラと独立して用紙押し付け部材の進退機構を必要とすることのないようなシート送り出し機構および画像処理装置を提供する。【解決手段】  第一ガイド面１２と第二ガイド面１３との間にシートを積層状態に収容するホッパ４と、ホッパ４内のシートを送出するための送出路２１と、ホッパ４内のシートを送出路へ送りだすピックアップ機構１５とを備え、ピックアップ機構１５には、回動可能に設けられたピックアップレバー１８と、ピックアップレバー１８に回動可能に支持されるとともに、第一のガイド面１２側からホッパ４に臨ませて設けられたピックアップローラ１９と、ピックアップローラ１９の少なくとも一部が第一のガイド面１２からホッパ４内部へ出没可能となるようにピックアップレバー１８を旋回させる駆動機構とが備えられている。【選択図】図３
2012197130.tif 000002
【特許請求の範囲】
【請求項１】
シートへの画像形成、および、シート上の画像の読み取りの少なくとも一方を行うための画像処理装置であって、
第一ガイド面と第二ガイド面とを有し、前記第一および第二ガイド面の間に前記シートを積層状態に収容するシート収容部と、
前記シート収容部内の前記シートを送出するための送出路と、
前記シート収容部内の前記シートを前記送出路へ送り出すピックアップ機構と、を備え、
前記ピックアップ機構は、回動可能に設けられたピックアップレバーと、前記ピックアップレバーに回動可能に支持されるとともに、前記第一のガイド面側から前記シート収容部に臨ませて設けられたピックアップローラと、前記ピックアップローラの少なくとも一部が前記第一のガイド面から前記シート収容部の内部へ出没可能となるように前記ピックアップレバーを旋回させる駆動機構とを備えた、画像処理装置。
【請求項２】
請求項１記載の画像処理装置であって、
前記駆動機構は、駆動モータと、前記ピックアップローラが前記第一のガイド面から突出する方向に前記ピックアップレバーを付勢する付勢手段とを備え、
前記ピックアップレバーは、前記駆動モータの回転力により、前記付勢手段による付勢力に逆らって前記シート収容部内から前記第一のガイド面側に退避することを特徴とする、画像処理装置。
【請求項３】
請求項２記載の画像処理装置であって、
前記ピックアップローラは、前記駆動モータにより回転駆動されることを特徴とする、画像処理装置。
【請求項４】
請求項２または３記載の画像処理装置であって、
前記ピックアップレバーには、旋回軸が設けられ、
前記駆動機構は、前記駆動モータと前記ピックアップローラおよび前記旋回軸とを接続する伝達機構を備え、
前記伝達機構は、前記駆動モータが正回転するときに前記駆動モータの回転力を前記ピックアップローラに伝達しつつ、該回転力の前記旋回軸への伝達を規制し、前記駆動モータが逆回転するときに、該駆動モータの回転力を前記旋回軸へ伝達する、ワンウェイクラッチ機構を備えていることを特徴とする、画像処理装置。
【請求項５】
請求項１から４のいずれかに記載の画像処理装置であって、
前記送出路に面して設けられて前記シートを搬送するための搬送ローラをさらに備え、
前記ピックアップ機構と前記搬送ローラは、ともに前記シート収容部の前記第一のガイド面側に設けられていることを特徴とする、画像処理装置。
【請求項６】
請求項５記載の画像処理装置であって、
前記搬送ローラは、前記駆動機構により回転駆動されることを特徴とする画像処理装置。
【請求項７】
第一のガイド面と第二のガイド面との間にシートを収容するホッパに対して設けられ、該ホッパからシートを送り出すためのシート送り出し機構であって、
前記第一のガイド面側から前記第二のガイド面側に向けて突出することにより前記ホッパ内のシートに圧接可能とされたピックアップローラと、
前記ピックアップローラを、前記ホッパからみて前記第一のガイド面の外側へ格納する格納機構と、
前記格納機構を駆動するとともに、前記ピックアップローラへ回転力を供給する駆動部と、を備えたシート送り出し機構。
【請求項８】
請求項７記載のシート送り出し機構であって、
前記格納機構は、前記ピックアップローラを回動可能に支持するピックアップレバーと、
前記駆動部から第一の方向の回転力を伝達して、前記ピックアップローラが前記第一のガイド面の外側へ格納されるように前記ピックアップレバーを旋回させるとともに、前記駆動部から前記第一の方向と逆方向の第二の方向の回転力を伝達して前記ピックアップローラを回転させるギア機構と、を備えていることを特徴とするシート送り出し機構。
【請求項９】
請求項８記載のシート送り出し機構であって、
前記ギア機構は、前記第一の方向の相対回転を規制し前記第二の方向の相対回転を許容するワンウェイクラッチを備えていることを特徴とするシート送り出し機構。
【請求項１０】
請求項８または９記載のシート送り出し機構であって、
前記格納機構は、前記ピックアップローラが前記第一のガイド面側から前記第二のガイド面側に向けて突出するように前記ピックアップレバーを付勢する付勢手段を備えていることを特徴とするシート送り出し機構。
【発明の詳細な説明】
【技術分野】
【０００１】
本発明は、小切手等のシートへの画像形成、および、シート上の画像の読み取りの少なくとも一方を行うための画像処理装置に係り、特に、積層したシートを画像処理のため送り出すためのシート送り出し機構に関する。
【背景技術】
【０００２】
この種の画像処理装置に用いられるシート送り出し機構としては、特許文献１に示すものが知られている。特許文献１のシート送り出し機構では、互いに平行配置された第一のガイド面と第二のガイド面との間が、積層状態のシートを起立した状態で挿入するためのホッパとして形成されるとともに、第一のガイド面側にピックアップローラが設けられ、第二のガイド面側に用紙押し付け部材が進退自在に設けられる。シートを画像処理のためにホッパから送り出す際には、第二のガイド面側から用紙押し付け部材が第一のガイド面側に突出して、ホッパ内部のシートをピックアップローラに対して押し付ける。この状態でピックアップローラが駆動されることにより、シートが分離されて送出される。
【先行技術文献】
【特許文献】
【０００３】
【特許文献１】特開２００９−１８４７７７
【発明の概要】
【発明が解決しようとする課題】
【０００４】
しかしながら、特許文献１に示すようなシート送り出し機構を構成するためには、ピックアップローラとは別に、用紙押し付け部材をシートのピックアップタイミングに合わせて進退自在とするための機構が必要となり、複雑な構造が必要となるとともに、こうした構造を設けるためのスペースが装置内において必要となっていた。
【０００５】
こうした問題点に鑑みて、本発明では、ピックアップローラと独立して用紙押し付け部材の進退機構を必要としないようなシート送り出し機構およびそれを用いた画像処理装置を提供することを課題とする。
【課題を解決するための手段】
【０００６】
上記課題の少なくとも一部を解決するために、本発明は以下のような適用例として実現することができる。
【０００７】
（適用例１）  シートへの画像形成、および、シート上の画像の読み取りの少なくとも一方を行うための画像処理装置であって、第一ガイド面と第二ガイド面とを有し、前記第一および第二ガイド面の間に前記シートを積層状態に収容するシート収容部と、前記シート収容部内の前記シートを送出するための送出路と、前記シート収容部内の前記シートを前記送出路へ送り出すピックアップ機構と、を備え、前記ピックアップ機構は、回動可能に設けられたピックアップレバーと、前記ピックアップレバーに回動可能に支持されるとともに、前記第一のガイド面側から前記シート収容部に臨ませて設けられたピックアップローラと、前記ピックアップローラの少なくとも一部が前記第一のガイド面から前記シート収容部の内部へ出没可能となるように前記ピックアップレバーを旋回させる駆動機構とを備えている。
こうした構成により、ピックアップローラを備えたピックアップレバーがシート収容部に進出することにより、シート収容部内のシートと当接してシートを分離・送出することができる。
【０００８】
（適用例２）  適用例１の画像処理装置であって、前記駆動機構は、駆動モータと、前記ピックアップローラが前記第一のガイド面から突出する方向に前記ピックアップレバーを付勢する付勢手段とを備え、前記ピックアップレバーは、前記駆動モータの回転力により、前記付勢手段による付勢力に逆らって前記シート収容部内から前記第一のガイド面側に退避する。
このような構成により、ピックアップレバーの移動に関しては、シート収容部から退避させる際にのみ、駆動モータによる駆動力を供給すればよいこととなる。
【０００９】
（適用例３）  適用例２の画像処理装置であって、前記ピックアップローラは、前記駆動モータにより回転駆動される。
このような構成により、ピックアップレバーの駆動源を用いて、ピックアップローラを駆動することができる。
【００１０】
（適用例４）  適用例２または３の画像処理装置であって、前記ピックアップレバーには、旋回軸が設けられ、前記駆動機構は、前記駆動モータと前記ピックアップローラおよび前記旋回軸とを接続する伝達機構を備え、前記伝達機構は、前記駆動モータが正回転するときに前記駆動モータの回転力を前記ピックアップローラに伝達しつつ、該回転力の前記旋回軸への伝達を規制し、前記駆動モータが逆回転するときに、該駆動モータの回転力を前記旋回軸へ伝達する、ワンウェイクラッチ機構を備えている。
このような構成により、シートのピックアップ時には、ピックアップローラを移動させつつ付勢手段によりピックアップレバーをシート収容部に進出させ、それ以外の場合には、旋回軸を駆動してピックアップレバーをシート収容部から退避させることができる。
【００１１】
（適用例５）  適用例１から４のいずれかの画像処理装置であって、前記送出路に面して設けられて前記シートを搬送するための搬送ローラをさらに備え、前記ピックアップ機構と前記搬送ローラは、ともに前記シート収容部の前記第一のガイド面側に設けられている。
こうした構成により、シート搬送に伴い駆動される部分をともに第一のガイド面側に配置することができる。
【００１２】
（適用例６）  適用例５の画像処理装置であって、前記搬送ローラは、前記駆動機構により回転駆動される。
こうした構成により、ピックアップ機構と搬送ローラとを同一の駆動源により駆動することができる。
【００１３】
（適用例７）  第一のガイド面と第二のガイド面との間にシートを収容するホッパに対して設けられ、該ホッパからシートを送り出すためのシート送り出し機構であって、  前記第一のガイド面側から前記第二のガイド面側に向けて突出することにより前記ホッパ内のシートに圧接可能とされたピックアップローラと、前記ピックアップローラを、前記ホッパからみて前記第一のガイド面の外側へ格納する格納機構と、前記格納機構を駆動するとともに、前記ピックアップローラへ回転力を供給する駆動部と、を備えている。
こうした構成により、ホッパの外側にピックアップローラを退避させるための駆動源とピックアップローラ自体を回動させるための駆動源とを共通とすることができる。
【００１４】
（適用例８）  適用例７のシート送り出し機構であって、前記格納機構は、前記ピックアップローラを回動可能に支持するピックアップレバーと、前記駆動部から第一の方向の回転力を伝達して、前記ピックアップローラが前記第一のガイド面の外側へ格納されるように前記ピックアップレバーを旋回させるとともに、前記駆動部から前記第一の方向と逆方向の第二の方向の回転力を伝達して前記ピックアップローラを回転させるギア機構と、を備えている。
こうした構成により、駆動部からの回転力により、ピックアップレバーを旋回させて、ピックアップレバーを第一のガイドメ面の外側に格納することができる。また、ピックアップレバーを格納しない場合には、駆動部の伝達力によりピックアップローラを回転駆動することができる。
【００１５】
（適用例９）  適用例８のシート送り出し機構であって、前記ギア機構は、前記第一の方向の相対回転を規制し前記第二の方向の相対回転を許容するワンウェイクラッチを備えている。
こうした構成により、一般の部品を用いてギア機構を簡単に構成することができる。
【００１６】
（適用例１０）  適用例８または９のシート送り出し機構であって、前記格納機構は、前記ピックアップローラが前記第一のガイド面側から前記第二のガイド面側に向けて突出するように前記ピックアップレバーを付勢する付勢手段を備えている。
こうした構成により、ピックアップレバーを格納しないときには、付勢手段によりピックアップレバーをホッパ内部に突出させることができる。
【図面の簡単な説明】
【００１７】
【図１】本発明の実施の形態に係る小切手処理装置を示す外観斜視図である。
【図２】図１に示した小切手処理装置の内部の平面図である。
【図３】図２に示した小切手処理装置におけるシート給送構造に係る部分の平面図である。
【図４】図３に示したシート送り出し機構の斜視図である。
【図５】図４に示したシート送り出し機構をＶ−Ｖ線に沿って見た場合の斜視断面図である。
【図６】図５に示したピックアップ機構の斜視図である。
【図７】図６に示したピックアップ機構における駆動機構を分離して示す斜視図である。
【発明を実施するための形態】
【００１８】
以下、本発明の実施の形態の一例を図面を参照して説明する。
図１は、本発明の実施の形態に係る小切手処理装置（画像処理装置）１の外観斜視図である。小切手処理装置１は、装置本体２に対して、小切手等のシート３を起立した状態で積層収容するホッパ（シート収容部）４と、ホッパ４から送出されたシート３を搬送する搬送路５と、搬送路５に沿って搬送されるシート３に対して画像印刷、データの読み取り、あるいはスキャニング等を行う処理部６と、処理部６における処理が終了し、搬送路５を通じて排出されたシート３等を搬送路５から受けるための排出部７とが設けられた構成とされている。
【００１９】
図２は、小切手処理装置１の装置本体２の内部を示す平面図である。これらの図に示すように、装置本体２のうち、ホッパ４が設けられた部分の周囲は、シート３を搬送路５に送り出すためのシート給送構造１０として形成されている。
【００２０】
シート給送構造１０は、互いに略平行に配置された第一のガイド面１２と第二のガイド面１３との間にホッパ４が形成されるとともに、ホッパ４内部に収納されたシート３を分離するためのピックアップ機構（シート送り出し機構）１５と、分離されたシート３を搬送路５へ送り出すためのフィードローラ（搬送ローラ）１６およびリタードローラ１７とを備えた構成とされている。
【００２１】
図３はシート給送構造１０を拡大して示した平面図であり、図４は図３中ＩＶ方向からシート給送構造１０を見た際の斜視図である。これらの図中に示すように、ピックアップ機構１５は、ピックアップレバー１８と、ピックアップレバー１８に支持されたピックアップローラ１９とを備えた構成となっている。
【００２２】
ピックアップレバー１８は旋回軸１８ａを中心に回動可能となるようにシート給送構造１０から支持されている。またピックアップローラ１９はピックアップレバー１８の先端部１８ｂにおいて回動可能に支持されており、かつ第一のガイド面１２に設けられた開口部１２ａを通じてホッパ４内部に臨むように取り付けられている。
【００２３】
また、ピックアップレバー１８とシート給送構造１０との間には、押さえバネ（付勢手段）２０が設けられている。押さえバネ２０はその一端２０ａがシート給送構造１０に取り付けられるとともに、他端２０ｂがピックアップレバー１８に設けられたリブ１８ｃに取り付けられている。押さえバネ２０の弾性力がリブ１８ｃに作用することにより、ピックアップレバー１８は旋回軸１８ａを中心に旋回して、ピックアップローラ１９が第一のガイド面１２の開口部１２ａから第二のガイド面１３側に突出するように、付勢される。
【００２４】
ホッパ４は、搬送路５側の端部の幅寸法が徐々に縮小するよう構成とされ、搬送路５側の先端はホッパ４内のシート３を搬送路５に送出するための送出路２１として形成されている。フィードローラ１６およびリタードローラ１７は、送出路２１を挟んで互いに圧接するように設けられている。なお、フィードローラ１６は、ホッパ４から見て第一のガイド面１２側、すなわちピックアップ機構１５と同じ側に設けられる。
【００２５】
図５は、シート給送構造１０を図４中Ｖ−Ｖ線に沿って見た場合の斜視断面図である。図５中に示すように、シート給送構造１０の底板２３の下方には、ピックアップ機構１５およびフィードローラ１６を駆動するための駆動機構２４が設けられている。駆動機構２４は、駆動源となるモータ（駆動モータ、駆動部）２６と、モータ２６の回転力をピックアップローラ１９に伝達するための伝達機構２７とを有している。伝達機構２７はモータ２６の回転軸２６ａに接続された第一のギア２９と、第一のギア２９に接続された第二のギア３０と、第二のギア３０に接続された第三のギア３１と、第三のギア３１に同軸に接続されたワンウェイクラッチ機構３２と、ワンウェイクラッチ機構３２に接続された第四のギア３３と、第四のギア３３に接続されるとともに、ピックアップローラ１９の回転軸１９ａにその回転軸３４ａが同軸に接続された第五のギア３４とを備えて構成されている。また、ワンウェイクラッチ機構３２は、第六のギア３６および第七のギア３７とも接続され、第七のギア３７は、フィードローラ１６と同軸に接続されている。
【００２６】
図６は、シート給送構造１０における、底板２３と、第一のガイド面１２と、駆動機構２４を含めたピックアップ機構１５との位置関係を示す図であり、図７は、図６に示した駆動機構２４の構造を他の構造から分離して示した斜視図である。
【００２７】
これらの図中に示すように、ワンウェイクラッチ機構３２はギア部３２ａと回動軸３２ｂとを備えており、ギア部３２ａが第三のギア３１と一体化されるとともに、回動軸３２ｂがピックアップレバー１８の旋回軸１８ａに接続されている。ワンウェイクラッチ機構３２は、ギア部３２ａが回動軸３２ｂに対して所定方向（図７中Ａ方向）に相対回転することを許容し、所定方向と逆方向（図７中Ｂ方向）に相対回転することを規制する。
【００２８】
また、第四のギア３３および第五のギア３４はピックアップレバー１８により支持されており、ピックアップレバー１８が旋回する際には、ピックアップレバー１８とともに移動する。このため、図６に示すように、底板２３には、ピックアップローラ１９の回転軸１９ａ（第四のギアの回転軸３４ａ）と第四のギア３３の回転軸３３ａの移動を許容するための長孔３９、４０がそれぞれ設けられている。
【００２９】
また、ワンウェイクラッチ機構３２のギア部３２ａは、第六のギア３６および第七のギア３７を介してフィードローラ１６に対して接続されているので、ギア部３２ａとフィードローラ１６とは同方向に回転するようになっている。
【００３０】
なお、モータ２６は図示しない制御部に接続されており、制御部からの制御に基づき、所定のタイミングで、その回転方向を正回転（図７中Ｒ２）および逆回転（図７中Ｒ１）に切り替え制御することが可能な構成とされている。
【００３１】
次に、上述の小切手処理装置１におけるシート送り出し機構（ピックアップ機構）１５の動作について説明する。
上述したように、ピックアップ機構１５のピックアップレバー１８は、押さえバネ２０によってピックアップローラ１９がホッパ４の内部に突出する方向に付勢されているので、駆動機構２４を駆動しない状態においては、図２に示すように、ピックアップレバー１８が旋回してピックアップローラ１９がホッパ４の内部に突出した状態となっている。
【００３２】
小切手処理装置１に電源を投入し、モータ２６が駆動されると、まず、モータ２６は、図７におけるＲ１方向に回転駆動される。Ｒ１方向のモータ２６の回転力は第一のギア２９、第二のギア３０、第三のギア３１を介してワンウェイクラッチ機構３２のギア部３２ａに対して伝達されるが、ワンウェイクラッチ機構３２は、ギア部３２ａが回動軸３２ｂに対して図７中Ｂ方向に相対移動しないように形成されているので、第三のギア３１がＲ１方向に回動している際には、回動軸３２ｂも同方向（Ｂ方向）に回転することとなる。これにより回動軸３２ｂに接続されたピックアップレバー１８の旋回軸１８ａもＢ方向に回動することとなる。
【００３３】
旋回軸１８ａがＢ方向に回動することにより、ピックアップレバー１８も旋回し、これに伴い、ピックアップレバー１８の先端部１８ｂに設けられたピックアップローラ１９は、図７中Ｃ方向に移動されることとなる。こうして、ピックアップローラ１９は、第一のガイド面１２に設けられた開口部１２ａを通じて、ホッパ４からみて第一のガイド面１２の外側の位置に格納されることとなる。
【００３４】
ホッパ４内に収納されたシート３に何らかの画像処理を行う際には、図示しない制御部からの制御信号に基づき、モータ２６が、図７中Ｒ１方向とは反対方向のＲ２方向に回転駆動される。この場合、モータ２６のＲ２方向の回転力は、第一のギア２９、第二のギア３０、第三のギア３１を介してワンウェイクラッチ機構３２のギア部３２ａに対して伝達されるが、ワンウェイクラッチ機構３２は、ギア部３２ａの回動軸３２ｂに対する図７中Ａ方向の相対移動を許容するように構成されているため、ギア部３２ａは回動軸３２ｂに拘束されることなく、図７中Ａ方向に回動する。これにより、ワンウェイクラッチ機構３２のギア部３２ａに係合する第四のギア３３および第五のギア３４も図中Ｒ２方向に回動することとなり、さらに、第五のギア３４に同軸に接続されたピックアップローラ１９も図７中Ｒ２方向に回転する。
【００３５】
一方、この状態において、ギア部３２ａは、回動軸３２ｂと関係なく回動しているために、回動軸３２ｂに接続されたピックアップレバー１８の旋回軸１８ａは、モータ２６からの回転力に影響を受けない。したがって、ピックアップレバー１８のリブ１８ｃに接続された押さえバネ２０による付勢力により、ピックアップレバー１８は図７中Ｄ方向に移動する。その結果、ピックアップレバー１８の先端部１８ｂに取り付けられたピックアップローラ１９が、第一のガイド面１２の開口部１２ａを通じてホッパ４の内部に突出し、ホッパ４に収容されたシート３に対して当接することとなる。このとき、ピックアップローラ１９は図７中Ｒ２方向に回動しているため、ピックアップローラ１９に当接したシート３は、ピックアップローラ１９により搬送されて、送出路２１を通じフィードローラ１６が設けられている位置にまで供給される。
【００３６】
また、この際、フィードローラ１６も、第六のギア３６、第七のギア３７を介してワンウェイクラッチ機構３２のギア部３２ａに接続されることにより、ギア部３２ａおよびピックアップローラ１９と同方向に回転するようになっているため、送出路２１に送られたシート３は、フィードローラ１６によりさらに搬送路５に搬送され、処理部６に送られて画像処理が施される。
【００３７】
以上説明したように、本実施の形態の小切手処理装置１においては、ピックアップローラ１９を備えたピックアップレバー１８がホッパ４の内部に進出して、ホッパ４の内部のシート３と当接し、シート３を分離することができる。これにより、従来と異なり、ピックアップローラとは別に、用紙押し付け部材をシートのピックアップタイミングに合わせて進退させる機構を設ける必要がなく、装置の構造の簡略化を図るとともに、装置内のスペースを有効活用して装置の小型化を図ることが可能となる。
【００３８】
さらに、ピックアップレバー１８が、モータ２６の回転力により、押さえバネ２０による付勢力に逆らって、ホッパ４内から第一のガイド面１２側に退避する構成となっているので、ピックアップレバー１８の移動に際しては、ホッパ４から退避させるときにのみ、モータ２６による駆動力を供給すればよいこととなる。これにより、ピックアップローラ１９をホッパ４内部に突出させる際には、モータ２６の駆動力をピックアップレバー１８の移動に利用する必要がなく、モータ２６の駆動力を有効活用することができる。
【００３９】
この場合、特に、ピックアップローラ１９もモータ２６により回転駆動される構成となっているので、ピックアップレバー１８を格納しない際のモータ２６の駆動力を有効活用することが可能となる。また、この際、ピックアップレバー１８の格納とピックアップローラ１９の回動とのタイミングが重ならないので、モータ２６の負荷が過大となることがない。
【００４０】
また、駆動機構２４に、モータ２６とピックアップローラ１９および旋回軸１８ａとを接続する伝達機構２７が備えられ、伝達機構２７に備えられたワンウェイクラッチ機構３２が、モータ２６が正回転（Ｒ２方向に回転）するときにモータ２６の回転力をピックアップローラ１９に伝達しつつ、回転力の旋回軸１８ａへの伝達を規制し、モータ２６が逆回転（Ｒ１方向に回転）するときにモータ２６の回転力を旋回軸１８ａへ伝達するように動作するので、シート３のピックアップ時には、ピックアップローラ１９を移動させつつ、押さえバネ２０によりピックアップローラ１９をホッパ４に進出させ、それ以外の場合には、旋回軸１８ａを駆動してピックアップレバー１８をホッパ４から退避させることができる。このように、ワンウェイクラッチ機構３２を用いることにより、ピックアップ機構１５を少ない部品点数で簡易な構造により実現することができる。
【００４１】
また、ピックアップ機構１５とフィードローラ１６とは、ともにホッパ４から見て第一のガイド面１２側に設けられている。この場合、フィードローラ１６は、駆動機構２４により駆動される構成となっているので、シート搬送に伴い駆動される部分をともに第一のガイド面１２側に配置することが可能となり、これにより駆動力の伝達機構２７を納まりよく配置することができる。また、このように、ホッパ４の外側にピックアップローラ１９を退避させるための駆動源とピックアップローラ１９自体を回動させるための駆動源とを共通としたので、これらを駆動するのに別々のモータ等を設ける必要がなく、部品点数および製造コストの削減を図ることができる。
【００４２】
また、ピックアップレバー１８と押さえバネ２０と伝達機構２７とによりピックアップローラ１９の格納機構を構成し、さらに、伝達機構２７を、第一から第五のギア２９，３０，３１，３３および３４とワンウェイクラッチ機構３２とを用いて構成するようにしたので、一般の部品を用いてピックアップローラ１９の格納機構を構成することができる。特に、ピックアップレバー１８をホッパ４内部に突出させるために、押さえバネ２０を用いたため、簡易な構成を実現できる。
【００４３】
以上において本発明の一実施の形態を説明したが、本発明は上記実施の形態に限定されるものではなく、その趣旨を逸脱しない範囲内で、他の構成を採用することができる。
【符号の説明】
【００４４】
１…小切手処理装置（画像処理装置）、３…シート、４…  ホッパ（シート収容部）、５…搬送路、１２…第一のガイド面、１３…第二のガイド面、１５…ピックアップ機構（シート送り出し機構）、１６…フィードローラ搬送ローラ、１７…リタードローラ、１８…ピックアップレバー、１８ａ…旋回軸、１９…ピックアップローラ、２０…押さえバネ（付勢手段）、２１…送出路、２４…駆動機構、２６…モータ（駆動モータ、駆動部）、２７…伝達機構（ギア機構）、３２…ワンウェイクラッチ機構
【図１】
2012197130.tif 000003
【図２】
2012197130.tif 000004
【図３】
2012197130.tif 000005
【図４】
2012197130.tif 000006
【図５】
2012197130.tif 000007
【図６】
2012197130.tif 000008
【図７】
2012197130.tif 000009